(57)【要約】【課題】使用者が電話番号の登録時に特別な処理（設定）をすることなく、発呼時に簡単な操作で相手先の電話番号を検索することが可能な電話番号検索方法及びその検索方法を使用した電話帳並びにその電話帳が搭載された電話機を提供する。【解決手段】  記憶部に蓄積された複数の電話番号から所望の電話番号を検索する電話番号検索方法であって、所望の電話番号を構成する数字列の内で、特徴部分となる所定数の数字列を指定するステップと、蓄積された複数の電話番号を構成する数字列から、前記指定された所定数の数字列を有する電話番号を検索するステップと、前記検索された前記指定された所定数の数字列を有する電話番号を表示部に表示するステップとを含む電話番号検索方法。【選択図】  図４
2005175721.tif 000002
【特許請求の範囲】
【請求項１】
記憶部に蓄積された複数の電話番号から所望の電話番号を検索する電話番号検索方法であって、
所望の電話番号を構成する数字列の内で、特徴部分となる所定数の数字列を指定するステップと、
蓄積された複数の電話番号を構成する数字列から、前記指定された所定数の数字列を有する電話番号を検索するステップと、
前記検索された前記指定された所定数の数字列を有する電話番号を表示部に表示するステップと、
を含むことを特徴とする電話番号検索方法。
【請求項２】
前記特徴部分となる所定数の数字列は、電話番号を構成する数字列の内の先頭から数桁であることを特徴とする請求項１に記載の電話番号検索方法。
【請求項３】
前記特徴部分となる所定数の数字列は、電話番号を構成する数字列の内の先頭から３桁であって、０Ｘ０（Ｘは任意の数）であることを特徴とする請求項２に記載の電話番号検索方法。
【請求項４】
前記特徴部分となる所定数の数字列の指定は、予め設定されて表示されている複数の数字列の中から選択することを特徴とする請求項１〜３のいずれか1項に記載の電話番号検索方法。
【請求項５】
電話機に搭載された記憶手段に蓄積された複数の電話番号から所望の電話番号を検索する検索手段を備えた電話帳であって、
所望の電話番号を構成する数字列の内で、特徴部分となる所定数の数字列を指定する手段と、
蓄積された複数の電話番号を構成する数字列から、前記指定された所定数の数字列を有する電話番号を検索する手段と、
前記検索された前記指定された所定数の数字列を有する電話番号を表示する表示手段と、
を備えることを特徴とする電話帳。
【請求項６】
前記特徴部分となる所定数の数字列は、電話番号を構成する数字列の内の先頭から数桁であることを特徴とする請求項５に記載の電話帳。
【請求項７】
前記特徴部分となる所定数の数字列は、電話番号を構成する数字列の内の先頭から３桁であって、０Ｘ０（Ｘは任意の数）であることを特徴とする請求項５に記載の電話帳。
【請求項８】
前記請求項５〜７に記載の電話帳が搭載された電話機であって、
所望の電話番号を構成する数字列の内で、特徴部分となる所定数の数字列を指定するモードを指定する専用のキーを電話機の操作面に配置したことを特徴とする電話機。
【請求項９】
前記特徴部分となる所定数の数字列は、少なくとも電話番号を構成する数字列の内の先頭から３桁の「０５０」「０７０」「０９０」であって、表示部には該３桁の数字に対応する「ＩＰ電話」「ＰＨＳ」「携帯電話」が選択可能に表示されることを特徴とする請求項８に記載の電話機。
【発明の詳細な説明】
【技術分野】
【０００１】
本発明は、電話機に備えられた電話帳に登録された多数の電話番号から所望の相手先電話番号を検索する検索方法及びその検索方法が適用された電話帳に関する。
【背景技術】
【０００２】
従来の電話帳を備えた子機を有するコードレス電話機のハードウエア構成を示す。
図１は、従来の電話機の一例におけるコードレス電話機の親機の構成を示すブロック図であり、図２はその子機の構成を示すブロック図である。
【０００３】
図１において、親機ＨＳは、外線接続端子Ｌ１，Ｌ２に入力される外線着信信号および受話信号を検波する検波回路１と、電話機と外線との回線接続を制御する回線制御回路２と、この回線制御回路２を介して入力されてくる受話信号を他の回路に送出したり、外線への送話信号の送出を行う通話回路３とを備えている。
そして、この通話回路３を介して入力されてくる受話信号や外線に送出する送話信号の音声処理を行うとともに後述するＣＰＵに対してモデムとして機能するＤＳＰ（Digital Signal Processor）４とを備えている。
また、子機との間でＭＣＡ（マルチ・チャンネル・アクセス）方式による無線通話回路を形成する無線送受信回路５と、子機との間で無線の送受信を行うアンテナ６と、回線制御回路２および通話回路３，ＤＳＰ４，無線送受信回路５に接続されて各回路の作動制御および音声ダイヤル機能の制御を行うＣＰＵ７とを備えている。
さらに、このＣＰＵ７に接続されて電話番号等のデータ入力や電話機操作を行うキースイッチ８と、ＣＰＵ７に接続されたドライバ９およびこのドライバ９によって駆動される液晶パネルや有機ＥＬなどのディスプレイパネル１０とを備えている。
【０００４】
そして、ＣＰＵ７には、メモリＭが接続されており、このメモリＭには、少なくとも電話帳メモリメモリＭ１が登録されている。
【０００５】
なお、図１中、１１は外線接続端子Ｌ１，Ｌ２から入力されてくる外線着信信号を検出するリング回路であり、１２はこのリング回路１１による外線着信信号の検出によって呼出音を鳴らすモニタスビーカであり、１３はオンフックモード時にハンズフリーによる通話を行うためのマイクであり、１４はハンドセットを置いたままで通話するためのオンフックモードへの切り換えを行うオンフックスイッチである。
【０００６】
図２において、子機ＴＵは、親機ＨＳとの間で無線の送受信を行うアンテナ２１と、このアンテナ２１を介して親機ＨＳとの間でＭＣＡ方式による無線通話回路を形成する無線送受信回路２２と、この無線送受信回路２２を介して入力されてくる受話信号や外線に送出する送話信号の音声処理を行うとともに後述するＣＰＵに対してモデムとして機能するＤＳＰ（Digital Signal Processor）２３とを備えている。
そして、このＤＳＰ２３および無線送受信回路２２に接続されて各回路の作動制御を行うＣＰＵ２４と、このＣＰＵ２４に接続されて電話番号等のデータ入力や電話機操作を行うキースイッチ２５と、ＣＰＵ２４に接続されたドライバ２６およびこのドライバ２６によって駆動される液晶パネルや有機ＥＬなどのディスプレイパネル２７とを備えている。なお、図２中、２８はマイク、２９はレシーバである。
【０００７】
次に、親機が備えているメモリＭの構成について説明を行う。
このメモリＭは、少なくとも電話帳メモリメモリＭ１構成されている（簡易検索用メモリＭ２は本発明の実施形態にかかる構成なので後述する）。
電話帳メモリＭ１は、ユーザの登録によって電話先の電話番号と氏名や名所を記録しておくところで、図３に示されるように、電話帳アドレスが記録されるアドレスフィールドＭ１ａと、電話番号が記録される電話番号フィールドＭ１ｂと、電話番号に対応する氏名や名称が記録される名称フィールドＭ１ｃと、氏名や名称の読み名が記録される読み名フィールドＭ１ｄが少なくとも設けられている。
【０００８】
上記電話機に設けられた電話帳から所望の相手先を検索するには、相手先の名称から検索するのが一般的である。
また、相手先の名称を使用せずに、検索するものとしては、以下のものが知られている。
その１つとしては、複数の相手先の電話番号のうち所望の相手先の電話番号を自動的にダイヤルするために、「複数の発呼先のそれぞれの電話番号を識別子と共に記憶する記憶手段と、操作員によって前記識別子を選択する操作手段と、この操作手段によって選択された識別子に対応する電話番号を前記記憶手段かから読み取る読取手段と、この読取手段によって読取られた電話番号に従って発呼する発呼手段とを備えた車両用電話装置。（例えば、特許文献１参照）
【０００９】
また、メモリダイヤルへの電話番号データを階層化し、メモリダイヤルをいくつかのグループに分類し、グループ名を付け、発呼時のデータ検索を容易にするとともに、メモリダイヤルの整理を行うことを目的として、「メモリダイヤル機能を有する無線電話装置において、前記メモリダイヤルの登録時に、あらかじめ登録した複数のグループ名を表示し、選択された前記グループ内に前記メモリダイヤルを階層化して登録する手段と、前記メモリダイヤルの呼出し時に、前記グループ内に登録されている前記メモリダイヤルを優先的に表示する手段とを有することを特徴とする無線電話装置。」（例えば、特許文献２参照）
【００１０】
さらに、相手先名称の頭文字を入力することなく、相手先電話番号を容易に且つ迅速に表示し得る移動通信端末及び情報表示方法として、「相手先名称及び相手先電話番号が登録されるメモリと、このメモリに登録される該相手先名称及び相手先電話番号をカテゴリ毎に表示する表示部を具備する移動端末において、前記メモリ内に登録されている前記相手先番号を前記相手先名称に応じて複数のカテゴリに分類する分類手段と、この分類手段によって分類される各カテゴリに前記相手先電話番号及び相手先名称が登録されているか否かを検索する検索手段と、この検索手段の結果に基づき、前記相手先名称及び相手先電話番号が登録されていないカテゴリは、前記相手先名称及び相手先電話番号の少なくとも一方が登録されているカテゴリとは異なる表示形態で前記表示部に表示する表示制御手段とを具備してなることを特徴とする移動通信端末。」（例えば、特許文献３参照）
【００１１】
【特許文献１】特開平２−３０３２５４号公報号  （請求項１）
【特許文献２】特開平１０−２９４７８１号公報（請求項１、（０００８））
【特許文献３】特開２０００−１１５３４２号公報（請求項１、（０００５））
【発明の開示】
【発明が解決しようとする課題】
【００１２】
上記の如く、従来の電話機に備えられた電話帳の検索方法として、相手先の電話番号又は名称を入力せずに検索するためには、電話帳への登録時に個々の電話番号に識別子を付与したり、グループに分類して階層化する等の処理が必要であり、使用者にとって煩雑な入力操作を実行する必要があった。
【００１３】
本発明の課題（目的）は、使用者が電話番号の登録時に特別な処理（設定）をすることなく、発呼時に簡単な操作で相手先の電話番号を検索することが可能な電話番号検索方法及びその検索方法を使用した電話帳並びにその電話帳が搭載された電話機を提供することにある。
【課題を解決するための手段】
【００１４】
前記課題を解決するために、この発明（請求項１に記載の発明）による電話番号検索方法は、記憶部に蓄積された複数の電話番号から所望の電話番号を検索する電話番号検索方法であって、
所望の電話番号を構成する数字列の内で、特徴部分となる所定数の数字列を指定するステップと、蓄積された複数の電話番号を構成する数字列から、前記指定された所定数の数字列を有する電話番号を検索するステップと、前記検索された前記指定された所定数の数字列を有する電話番号を表示部に表示するステップとを含む電話番号検索方法。
【００１５】
また、この発明（請求項５に記載の発明）による電話帳は、電話機に搭載された記憶手段に蓄積された複数の電話番号から所望の電話番号を検索する検索手段を備えた電話帳であって、
所望の電話番号を構成する数字列の内で、特徴部分となる所定数の数字列を指定する手段と、蓄積された複数の電話番号を構成する数字列から、前記指定された所定数の数字列を有する電話番号を検索する手段と、前記検索された前記指定された所定数の数字列を有する電話番号を表示する表示手段とを備える電話帳。
【発明を実施するための最良の形態】
【００１６】
本発明の基本的な原理は、電話番号の内の数字列の内の、特定な部分には当該電話機を特定する規則性が存在し、該数字列を用いて多数の電話番号を自動的に分類が可能であるという認識に基づいている。
電話番号を構成する数字列には、ある規則性が存在する。
その１つは、電話番号を構成する数字列の先頭から３桁までの数字で、「０５０」「０７０」「０９０」は、それぞれ「ＩＰ電話」「ＰＨＳ」「携帯電話」と異なった電話システムを意味している。
したがって、先頭から３桁の数字列の内、「０５０」「０７０」「０９０」の電話番号を検索することによって、相手先電話が「ＩＰ電話」「ＰＨＳ」「携帯電話」のいづれかが分かっている場合には、例えば、相手が携帯電話の場合には、自己の電話機に登録された複数の電話番号の中から携帯電話の番号のみを検索して表示部に電話番号と氏名等を表示することができる。
【００１７】
以下、図面を使用して本発明の実施の形態の説明をする。
本発明におけるハードウエア構成は、図１及び２に記載の従来の電話機のハードウエア構成と同様である。以下、従来技術の説明と重複するが図１及び２の構成について説明する。
【００１８】
図１において、親機ＨＳは、外線接続端子Ｌ１，Ｌ２に入力される外線着信信号および受話信号を検波する検波回路１と、電話機と外線との回線接続を制御する回線制御回路２と、この回線制御回路２を介して入力されてくる受話信号を後述する他の回路に送出したり、外線への送話信号の送出を行う通話回路３とを備えている。
そして、この通話回路３を介して入力されてくる受話信号や外線に送出する送話信号の音声処理を行うとともに後述するＣＰＵに対してモデムとして機能するＤＳＰ（Digital Signal Processor）４とを備えている。
また、子機との間でＭＣＡ（マルチ・チャンネル・アクセス）方式による無線通話回路を形成する無線送受信回路５と、子機との間で無線の送受信を行うアンテナ６と、回線制御回路２および通話回路３，ＤＳＰ４，無線送受信回路５に接続されて各回路の作動制御および音声ダイヤル機能の制御を行うＣＰＵ７とを備えている。
さらに、このＣＰＵ７に接続されて電話番号等のデータ入力や電話機操作を行うキースイッチ８と、ＣＰＵ７に接続されたドライバ９およびこのドライバ９によって駆動される液晶パネルや有機ＥＬなどのディスプレイパネル１０とを備えている。
【００１９】
そして、ＣＰＵ７には、メモリＭが接続されており、このメモリＭには、少なくとも電話帳メモリメモリＭ１によって構成されている。
【００２０】
なお、図１中、１１は外線接続端子Ｌ１，Ｌ２から入力されてくる外線着信信号を検出するリング回路であり、１２はこのリング回路１１による外線着信信号の検出によって呼出音を鳴らすモニタスビーカであり、１３はオンフックモード時にハンズフリーによる通話を行うためのマイクであり、１４はハンドセットを置いたままで通話するためのオンフックモードへの切り換えを行うオンフックスイッチである。
【００２１】
図２において、子機ＴＵは、親機ＨＳとの間で無線の送受信を行うアンテナ２１と、このアンテナ２１を介して親機ＨＳとの間でＭＣＡ方式による無線通話回路を形成する無線送受信回路２２と、この無線送受信回路２２を介して入力されてくる受話信号や外線に送出する送話信号の音声処理を行うとともにＣＰＵに対してモデムとして機能するＤＳＰ（Digital Signal Processor）２３とを備えている。
そして、このＤＳＰ２３および無線送受信回路２２に接続されて各回路の作動制御を行うＣＰＵ２４と、このＣＰＵ２４に接続されて電話番号等のデータ入力や電話機操作を行うキースイッチ２５と、ＣＰＵ２４に接続されたドライバ２６およびこのドライバ２６によって駆動される液晶パネルや有機ＥＬなどのディスプレイパネル２７とを備えている。なお、図２中、２８はマイク、２９はレシーバである。
【００２２】
次に、親機が備えているメモリＭの構成について説明を行う。
このメモリＭは、少なくとも電話帳メモリメモリＭ１および後述の簡易検索用メモリＭ２によって構成されている。
電話帳メモリＭ１は、ユーザの登録によって電話先の電話番号と氏名や名所を記録しておくところで、図３に示されるように、電話帳アドレスが記録されるアドレスフィールドＭ１ａと、電話番号が記録される電話番号フィールドＭ１ｂと、電話番号に対応する氏名や名称が記録される名称フィールドＭ１ｃと、氏名や名称の読み名が記録される読み名フィールドＭ１ｄが少なくとも設けられている。
【００２３】
図４は、第１の実施の形態における電話機の電話帳機能に関するキー操作部の一部と表示部の表示形態を示す図である。
図４において、３０および４０は電話帳機能に関するキースイッチ８に備える電話帳ボタンと、この電話帳ボタン３０の周囲に配置される上下左右ボタン４０（４０−ａ〜４０−ｄ）である。電話帳ボタン３０と上下左右ボタン４０を押すことによって、電話機に搭載された電話帳検索機能が起動される。
以下、本発明に係る電話帳検索機能について説明する。
［１文字検索（フリガナ検索）］
電話帳ボタン３０を操作してディスプレイ１０に「でんわちょう？［］」を表示させる。そして、キースイッチ８に備える電話番号を直接入力するためのテンキーに割り当てられた五十音、アルファベットおよび記号を、このテンキーを操作することにより１つの文字あるいは１つの記号を指定する。指定された文字または記号はディスプレイ１０の「［］」に表示される。
ＣＰＵ７はこの指定した文字や記号が電話帳メモリＭ１の読み名フィールドの先頭にあるものを検索する。そして、上下ボタン４０−ａ、４０−ｂを操作することにより、検索した結果の先頭文字、記号が一致する電話番号と氏名をそれぞれ電話番号フィールドＭ１ｂと名称フィールドＭ１ｃから読み出してディスプレイ１０に表示する。
以下、上下ボタン４０−ａ、４０−ｂを操作することにより、次の検索された電話番号と氏名を順次表示する。
［五十音順検索］
上下キー４０−ａまたは４０−ｂを操作することによって読み名フィールドＭ１ｄの先頭文字、記号を五十音順に検索して２−１及び２−２に示すように、ディスプレイ１０に電話帳メモリＭ１に登録されている全ての電話番号の氏名を名称フィールドから五十音順に読み出して表示すと共に、対応する電話番号を電話番号フィールドから読み出して表示する。
【００２４】
なお、図４では、電話帳ボタン３０を押すことによって、直接フリガナ検索モードに入るようになっているが、電話帳ボタン３０を押すと、ディスプレイ１０が複数の検索手段の選択画面になって、ディスプレイ１０に表示されたフリガナ検索、グループ検索、電話番号検索、アドレス検索等から任意の検索モードを指定することも可能である。
【００２５】
［簡易電話番号検索］
図４の電話帳ボタン１の左横に配置されたキー４０−ｃは、本発明に特有の簡易電話番号検索キーであって、このキーを直接押すことによって、使用者によって設定された簡易検索モードに直接移行することができる。
図４では、簡易検索モードの設定が、電話機の使用者によって検索対象が「０９０」（携帯電話）に設定されている場合を示している。
まず、キー４０−ｃを操作することにより電話帳メモリＭ１の電話番号フィールドＭ１ｂの中で、先頭３桁の電話番号が「０９０」のものをすべて検索する。
次に３−１に示すように、検索された電話番号の中で、読み名称の先頭文字、記号が五十音順で先頭のものを選択する。
そして、該当する電話銀号を電話番号フィールドＭ１ｂから読み出し、対応する氏名を名称フィールドＭ１ｃから読み出してディスプレイ１０に表示する。以下、上下キー４０−ａ、４０−ｂを操作することにより、電話番号の先頭３桁が「０９０」のものを、読み名の五十音順で順次その電話番号と氏名を表示する。
すなわち、ディスプレイ１０に電話機の電話帳メモリＭ１に登録されている全ての電話番号の内の携帯電話番号の氏名が３−１及び３−２に示すように五十音順に表示され、上下キー４０−ａまたは４０−ｂを操作することによって必要とする相手先の携帯電話番号を指定することができる。
【００２６】
このように、相手先の電話機の種類が「携帯電話」であることが分かっている場合には、この簡易検索キー１−ｃを押すことによって、少ない操作で相手先の携帯電話番号を指定することができる。
なお、図４では、簡易検索キーを押した場合の検索対象が「０９０」（携帯電話）に設定されている場合を示しているが、この設定は先頭から３桁の数字列の内、「０５０」「０７０」等に電話機の使用者によって任意に設定が可能である。
【００２７】
図５は、第２の実施の形態における電話機の電話帳機能に関するキー操作部の一部と表示部の表示形態を示す図である。
図５において、３０および４０は電話帳機能に関するキースイッチ８に備える電話帳ボタンと、この電話帳ボタン３０の周囲に配置される上下左右ボタン４０（４０−ａ〜４０−ｄ）である。電話帳ボタン３０と上下左右ボタン４０を押すことによって、電話機に搭載された電話帳検索機能が起動される。
【００２８】
図５の電話帳ボタン１の左横に配置されたキー４０−ｃは、本発明に特有の簡易電話番号検索キーであって、このキーを直接押すことによって、ディスプレイ１０の簡易検索モードの選択画面に移行することができる。
図５では、簡易検索モードの選択が、先頭から３桁の数字列の内、「０５０」「０７０」「０９０」の電話番号として、キー４０−ｃまたは右キー４０−ｄによって相手先電話が「ＩＰ電話」「ＰＨＳ」「携帯電話」内のいずれかを判断して指定することができる。
まず、キー４０−ｃを操作することにより電話帳メモリＭ１の電話番号フィールドＭ１ｂの中で、先頭３桁の電話番号が「０９０」のものを指定するようにディスプレイ１０に表示する。
次に、キー４０−ｃを再度操作するかキー４０−ｄを操作することにより図５の３のように先頭３桁が「０７０」、「０５０」のように順次指定を変更する。このときディスプレイ１０には指定された先頭３桁の電話番号が表示される。
次にこの指定を終了すると、指定された先頭３桁の電話番号を電話番号フィールドＭ１ｂの中から検索し、検索された電話番号の中で、読み名称の先頭文字、記号が五十音順で先頭のものを選択する。
そして、該当する電話銀号を電話番号フィールドＭ１ｂから読み出し、対応する氏名を名称フィールドＭ１ｃから読み出してディスプレイ１０に表示する。以下、上下キー４０−ａ、４０−ｂを操作することにより、電話番号の先頭３桁が「０９０」のものを、読み名の五十音順で順次その電話番号と氏名を表示する。
【００２９】
次に図４及び図５の動作を図８に示すフローチャートを用いて説明する。
・簡易検索電話番号検索キー４０−ｃを押す。（ステップS1）
・電話機の使用者による簡易検索モードの検索対象が設定されている（図４の場合）か否（図５の場合）かの判断をする。（ステップS2）
・ステップS2の判断で設定されている(Y)（例えば、図４では「０９０」に設定）場合には、電話帳メモリＭ１の電話番号フィールドＭ１ｂの中で、先頭３桁の電話番号が「０９０」のものをすべて検索する。（ステップS3）
・検索された先頭３桁の電話番号が「０９０」のものをディスプレイ１０に読み名の五十音順で順次その電話番号と氏名を表示する。（ステップS4）
・ステップS2の判断で設定されていない(N)場合には、簡易検索選択メニューを図５の３に示す如く表示する。（ステップS5）
・表示された選択メニューを上下キー４０−ａ、４０−ｂによって希望する簡易検索モード（例えば、「０９０」）を指定する。（ステップS6）
・ステップS6で指定された検索モード（「０９０」）の場合は、電話帳メモリＭ１の電話番号フィールドＭ１ｂの中で、先頭３桁の電話番号が「０９０」のものをすべて検索する。（ステップS7）
・検索された先頭３桁の電話番号が「０９０」のものをディスプレイ１０に読み名の五十音順で順次その電話番号と氏名を表示する。（ステップS8）
【００３０】
本発明の実施形態における電話機の記憶部に蓄積された電話帳の記憶内容は、従来の電話帳と同様に、相手先電話が「ＩＰ電話」「ＰＨＳ」「携帯電話」等のいずれの種類であるかに関わらず登録されるので、使用者の電話番号の登録時には分類の作成等の特別な操作を必要としない。
【００３１】
［簡易電話番号検索用メモリＭ２］
図１の簡易電話番号検索用メモリＭ２は簡易検索を行なおうとする電話番号ごとに構成されるものであり、図６のように電話番号の先頭３桁が「０９０」「０７０」「０５０」ごとに設けられ、それぞれ電話番号データアドレスフィールドＭ２、電話番号フィールドＭ２ｂ、氏名フィールドＭ２ｃ、読み名フィールドＭ２ｄにより構成される。
この簡易電話番号検索用メモリＭ２を設けることによって、電話帳メモリＭ１の全てのデータを検索するものに比較して検索スピードを高めることができる。
また、この簡易電話番号検索用メモリＭ２のデータは、図６のように電話番号の先頭３桁が「０９０」「０７０」「０５０」毎に設定された領域毎に電話帳への電話番号の登録時に自動的に登録される。
そして、この簡易電話番号検索用メモリＭ２のデータは、電話帳メモリM１の登録データを重複して記憶される。
前述の簡易検索を行う場合には、指定された電話番号３桁に対応する簡易電話番号検索用メモリＭ２を選択して、以下この選択された簡易電話番号検索用メモリＭ２の読み名フィールドＭ２ｄの先頭文字、記号を五十音順に読み出して電話番号と氏名を表示する。
【００３２】
なお、上記第１及び第２の実施形態では、簡易検索モードの対象を電話番号の先頭から３桁の数字列が「０５０」「０７０」「０９０」である「ＩＰ電話」「ＰＨＳ」「携帯電話」等の電話システムの違いに着目した簡易検索を実行するものとして説明しているが、本発明の簡易検索の対象としては、電話番号の先頭から３桁の数字列が「０５０」「０７０」「０９０」である「ＩＰ電話」「ＰＨＳ」「携帯電話」等の電話システムの違いのみに限定されるものではない。
【００３３】
簡易検索の対象の別の例としては、固定電話機の場合には、その電話機が設置される地域が電話番号０の次の２桁目で日本の地域（北海道から九州まで、1〜９が割り当てられ、ている）が限定でき、３桁目でほぼ都道府県が限定できるので、このことにより、地域毎に分類して固定電話機の設置地域に基づく簡易検索を実行することも可能である。
国際電話番号も、「０１１」の国際識別コード（International-access-code）及び例えば「８１」（日本）の惜別コード番号（Country-code）で一義的に相手国の識別が可能であるので、この識別コードを用いることも可能である。
また、一般に利用されている電話番号の所定の数字列の例としては、図７に示すものがあり、この数字列を使用して分類して検索することも可能である。
【００３４】
図４及び図５の第１及び第２の実施の形態の説明では、本発明の記憶部を含む簡易検索手段及びその表示部が図１に示す如き固定電話機の親機に設けられているものとして説明をしているが、本発明の記憶部を含む簡易検索手段及びその表示部は、固定電話機の子機に設けられても良い。
また、本発明の記憶部を含む簡易検索手段を親機に設け、表示部は固定電話機の複数の子機に設けるようにしても良い。
また、本発明の記憶部を含む簡易検索手段及びその表示部は、固定電話機とは異なる形式電話機（例えば携帯電話機）に設けても良い。
【００３５】
請求項１〜９に記載の電話帳検索方法、電話帳及び電話機では、記憶部に蓄積された複数の電話番号から所望の電話番号を検索する電話番号検索方法（電話帳）では、所望の電話番号を構成する数字列の内で、特徴部分となる所定数の数字列を指定するステップ（手段）と、蓄積された複数の電話番号を構成する数字列から、前記指定された所定数の数字列を有する電話番号を検索するステップ（手段）と、前記検索された前記指定された所定数の数字列を有する電話番号を表示部に表示するステップ（手段）とを含むことによって、
相手先の電話番号登録時に特別の分類等の処理をすることなく、簡単な構成で簡易検索を実行できるという特有の作用・効果を奏することができるので、産業上の利用可能性は極めて大きい。
【図面の簡単な説明】
【００３６】
【図１】従来の電話機の一例におけるコードレス電話機の親機の構成を示すブロック図である。
【図２】従来の電話機の子機の構成を示すブロック図である。
【図３】電話帳メモリの記憶フィールドの例を示す図である。
【図４】第１の実施の形態における電話機の電話帳機能に関するキー操作部の一部と表示部の表示形態を示す図である。
【図５】第２の実施の形態における電話機の電話帳機能に関するキー操作部の一部と表示部の表示形態を示す図である。
【図６】第３の実施の形態における電話帳メモリを示す図である。
【図７】一般電話として発信する電話番号を示す図である。
【図８】簡易検索における動作を説明するためのフローチャートである。
【符号の説明】
【００３７】
３０  電話帳ボタン，
４０-a  上キー
４０-b  下キー
４０-c  簡易検索キー（左キー）
１０、２７  ディスプレイ
【図１】
2005175721.tif 000003
【図２】
2005175721.tif 000004
【図３】
2005175721.tif 000005
【図４】
2005175721.tif 000006
【図５】
2005175721.tif 000007
【図６】
2005175721.tif 000008
【図７】
2005175721.tif 000009
【図８】
2005175721.tif 000010